(57)【要約】      （修正有）【課題】可撓性と耐久性に優れ、かつ縫製により確実に対象物に取り付けることができる、ＩＣチップを内蔵した複合繊維シートを提供する。【解決手段】樹脂コーティングもしくは樹脂含浸し、裏面に識別可能なマークが施されている  繊維シート表面に、ＩＣチップが樹脂保護層で覆われて固定されていることを特徴とする複合繊維シート。【選択図】図１
2005036324.tif 000002
【特許請求の範囲】
【請求項１】
繊維シート表面に、ＩＣチップが樹脂保護層で覆われて固定されていることを特徴とする複合繊維シート。
【請求項２】
繊維シートが、樹脂コーティングもしくは樹脂含浸されている、請求項１記載の複合繊維シート。
【請求項３】
樹脂保護層が、ＩＣチップ上およびその周囲のみに部分的に形成・貼付してなる、請求項１または２に記載の複合繊維シート。
【請求項４】
繊維シート裏面に識別可能なマークが施されている、請求項１〜３のいずれかに記載の複合繊維シート。
【請求項５】
樹脂保護層が、フィルムを含んでなる請求項１〜４のいずれかに記載の複合繊維シート。
【請求項６】
繊維シートが、ＩＣチップに接する面のみに樹脂コーティングされている、請求項１〜５のいずれかに記載の複合繊維シート。
【請求項７】
ＩＣチップの端子に接触する配線を有している、請求項１〜６のいずれかに記載の複合繊維シート。
【請求項８】
樹脂保護層がフィルムを含み、かつＩＣチップの端子に接触するような配線が、フィルムのＩＣチップに接する面側に施されている、請求項１〜７のいずれかに記載の複合繊維シート。
【請求項９】
ＩＣチップが無線通信機能を有している、請求項１〜８のいずれかに記載の複合繊維シート。
【請求項１０】
ＩＣチップの端子に接触する配線を有した複合繊維シートであって、配線がアンテナ機能を有している、請求項１〜９のいずれかに記載の複合繊維シート。
【請求項１１】
請求項１〜１０記載の複合繊維シートを、縫製して取り付けた繊維製品。
【発明の詳細な説明】
【０００１】
【発明の属する技術分野】
本発明は、ＩＣチップを保持する複合繊維シート及び当該複合繊維シートを取り付けた繊維製品に関する。
【０００２】
【従来の技術】
本願発明の複合繊維シートは、ＩＣチップを内蔵・保持しＩＣチップの機能を活用して識別管理もしくは情報処理を行うものであり、特に繊維製品に縫製固定されて用いられるものである。
【０００３】
従来、ＩＣチップを保持した可撓性のシート状物としては、配線を描いた可撓性フィルム上にＩＣチップを搭載したものが、ＩＣ搭載フレキシブルプリント基板として広く使われている。さらに、衣類等のクリーニング用ＩＤタグとして、洗濯耐久性を向上させることを目的に、ＩＣを搭載した可撓性フィルムシートを、上下一対の可撓性フィルムを用いてその両面から挟み込み、周縁部を融着したフィルム積層シートが提案されている（例えば、特許文献１参照。）。しかしながら、フィルムのみをベースにしたシートでは、繊維製品等に縫製によって固定しようとすると、フィルムシートに針で穴を開けて糸を通したときに、糸を通すための針穴が穴にならずにエッジ方向までフィルムが裂けてうまく糸で固定できないという不具合が生じる。一方、針穴が裂けて破れないようにフィルムを厚くすると、今度は針がうまく通らなくて針が折れてしまうなどの不具合が生じる。
【０００４】
さらに、ＩＣ搭載シートを上下一対の可撓性フィルムを用いてその両面から挟み込み周縁部を融着したフィルム積層シートでは、縫製する時に、針穴の位置によっては液密を破ってしまい、針穴から水分等が浸入しＩＣに悪影響を与える不具合も生じる。
【０００５】
また、フィルムのみをベースとしたシートでは、肌に触れた時に、フィルム面に汗がついて肌に貼り付き、着用感が悪くなるという欠点が生じる。またフィルムは皮膚との接触時に滑りが悪いので、肌触りが悪くなるなどの欠点も生じる。このため、直接肌に触れるように用いるのではなく、衣類にポケットのような収納部を設けて収納し、直接肌に触れないような工夫が提案されている（例えば、特許文献２参照。）。しかし、収納用のポケットを特別に作るために、ＩＣ搭載フィルムを装着する繊維製品がコスト高になってしまったり、またそれぞれの繊維製品のポケットにひとつひとつＩＣ搭載フィルムを挿入しなければならないため、手間がかかるという問題があった。
【０００６】
一方、洗濯耐久性と縫製による固定性を考慮したＩＣチップ内蔵物としては、ＩＣチップを衣服のボタンのような形状のケースに内蔵させたものが提案されている（例えば、特許文献３参照。）。しかしながら、ボタン形状とすることにより装着できる部位が限られるという問題が生じる。すなわち、もともとボタンを有しない繊維製品に装着しようとすると、デザイン的に不自然だったり、じゃまだったり、肌やその他の部材が引っかかりやすいなどの問題が生じる。
【０００７】
このように、従来のＩＣチップ保持・内蔵材料では、可撓性及び洗濯耐久性と縫製性とを同時に解決することはきわめて困難であった。さらに、肌触り等の着用性まで考慮した材料はいままで提案されていなかった。
【０００８】
【特許文献１】実用新案登録第３０７１０３３号
【０００９】
【特許文献２】特開平１１−３１２２２４号公報
【００１０】
【特許文献３】特開２０００−１３２１０２号公報
【００１１】
【発明が解決しようとする課題】
本発明の目的は、従来のＩＣチップ保持・内蔵材料が有する上述した問題点に鑑み、着用性に優れ、可撓性や洗濯耐久性と縫製性とを同時に解決できる複合繊維シートを提供することである。
【００１２】
【課題を解決するための手段】
上記目的を達成するために、本発明は、繊維シート表面に、ＩＣチップが樹脂保護層で覆われて固定されていることを特徴とする複合繊維シートを提供する。繊維シートは、樹脂コーティングもしくは樹脂含浸されているされていることが好ましい。さらに、繊維シートは、ＩＣチップに接する面のみに樹脂コーティングされているとより好ましい。
【００１３】
樹脂保護層は、ＩＣチップ上およびその周囲のみに部分的に形成・貼付していることが好ましく、また、樹脂保護層は、フィルムを含んで成ることが好ましい。ＩＣチップに対しては、ＩＣチップの端子に接触するような配線を有していると、配線を介して情報をやりとりできるので好ましい。さらに、樹脂保護層がフィルムを含み、かつＩＣチップの端子に接触するような配線が、フィルムのＩＣチップに接する面側に施されているとより好ましい。また、繊維シート裏面に識別可能なマークが施されていると、情報の一部が視認できて好ましい。
【００１４】
ＩＣチップは、無線通信機能を有するものであると無線による情報のやりとりができて好ましい。また、上述の配線がアンテナ機能を有すると、無線による情報交信がスムーズに行えるのでより好ましい。
【００１５】
また、本発明は、上記複合繊維シートを、縫製して取り付けた繊維製品を提供する。縫製により取り付けると手間がかからずに好ましい。上記複合繊維シートを識別ラベルとして取り付けた繊維製品は、在庫管理や物流管理あるいはリサイクル管理が容易であり、また着用可能な情報処理機材としても活用でき好ましい。
【００１６】
【発明の実施の形態】
図１において、複合繊維シートは、基材となる繊維シート１と、情報を記憶・処理して交信するＩＣチップ３と、ＩＣを保護する樹脂保護層２との複合構成を有する。繊維シート１は表面と裏面とを有し、ＩＣチップ３を載せる面を表面、逆の面を裏面として以下説明する。また、複合繊維シートについても繊維シート表面側を複合繊維シートの表面とし、逆面を裏面として以下説明する。
【００１７】
繊維シート１とは、繊維を含有するシート状物であって、繊維織物、繊維編物、湿式不織布、乾式不織布のいずれであっても良く、さらにこれらの繊維シートを組み合わせたものであっても良い。繊維シートに用いる繊維は、配線部分を除き非導電性の繊維が用いられる。繊維シートに用いられる非導電性繊維は、非導電性であれば合成繊維、天然繊維、半合成繊維、無機繊維のいずれであってもよい。合成繊維の例としては、ナイロン繊維、ポリエチレンテレフタレート繊維、アクリル繊維、ポリビニルアルコール（ＰＶＡ）繊維、ポリプロピレン（ＰＰ）繊維、ポリエチレン繊維、ポリ塩化ビニル繊維、ポリ塩化ビニリデン繊維、ポリウレタン繊維、フッ素繊維、ＰＰＳ（ポリフェニレンサルファイド）繊維、アラミド繊維、ポリ乳酸繊維などが挙げられる。天然繊維としては、綿、麻、羊毛、絹、パルプなどが、半合成繊維としてはレーヨン、キュプラ、アセテート繊維などが用いられる。無機繊維は柔軟性に欠けるため衣料用途としては適さないが、工業用途では場合によってガラス繊維、セラミック繊維などを使用しても良い。これらの繊維は、用途に応じて適宜選択され、またこれらの複数の繊維を組み合わせて使用しても良い。衣料品の一部として用いる場合は、取り付ける衣料品と同じか、もしくは類似の繊維からなる繊維シートを用いると、皮膚に触れたときに違和感が少なくて好ましい。耐薬品性を求められる用途、例えば溶剤等を扱う工業用のユニフォームやエプロン等に用いる場合は、対象となる薬品に応じて、耐薬品性の高いフッ素繊維やＰＰＳ繊維などを用いると好ましい。
【００１８】
繊維シート１は、層状構造を有していても良い。層状構造は、別々の繊維シートを重ね合わせた構造であっても良く、また織編構造で層状構造を持たせたものであっても良い。織編構造で層状構造を持たせた例としては、二重織りの織物などが挙げられる。繊維シート１の裏面が皮膚に接触する用途に用いる場合は、層状構造の皮膚に接触する繊維層を皮膚への違和感の少ない衣料用途で用いられる繊維シートを配することが好ましい。
【００１９】
繊維シート１の裏面を物品に貼り付けて使用する用途に用いる場合は、繊維シートは、熱接着性を有する樹脂を保持していたり、もしくは、シートを構成する繊維が熱融着性の繊維を含んでいると、アイロン等で物品に容易に固定できるので好ましい。熱接着性を有する樹脂は、繊維シートを物品と接着させる面にドット上に配すると、柔軟性を保持できるので、繊維製品の芯地として特に好適に用いることができる。熱融着性の繊維を用いる場合は、芯鞘構造を有した熱融着繊維であると、熱融着後も繊維の強度が保持できるのでより好ましい。熱接着性を有する樹脂を保持する繊維シート、もしくは熱融着性の繊維を含む繊維シートは、上記の層状構造を有した繊維シートにおいて外面側のシートとしても良い。洗濯を行わない用途、洗濯耐久性を求められない用途では、具体的には使い捨てにする識別タグ用途等では、単層で厚みの薄い繊維シートが製造コストの面からより好適に用いられる。
【００２０】
樹脂保護層２は、ＩＣチップ３を物理的・化学的に保護しつつ、繊維シート１とＩＣチップ３とを一体化する機能を有する。樹脂保護層２を構成する樹脂は、繊維シート１に一部浸透して固化していると、接着強度がより強くなるので好ましい。特にＩＣチップ３を取り囲むように繊維シートに浸透・固化すると、ＩＣチップをより確実に保護できるので好ましい。樹脂保護層２に用いる樹脂は、熱硬化性樹脂、熱可塑性樹脂、エラストマー系樹脂等が用いられる。樹脂保護層２に用いる熱硬化性樹脂の例としては、メラミン樹脂、フェノール樹脂、エポキシ樹脂、キシレン樹脂、フラン樹脂、ポリイソシアネート樹脂、熱硬化性ポリエステル樹脂等を挙げることができる。熱硬化性樹脂は、熱硬化前は一般に分子量が低くて繊維シートに浸透しやすいので、繊維シートとの接着強度を特に要求される場合は好ましく用いられる。また、耐熱性や耐溶剤性が要求される場合も、耐熱性や耐溶剤性に優れる熱硬化性樹脂を用いることが好ましい。熱可塑性樹脂としては、ナイロン樹脂、熱可塑性ポリエステル樹脂、アクリル樹脂、ポリビニルアルコール（ＰＶＡ）樹脂、ポリプロピレン（ＰＰ）樹脂、ポリエチレン樹脂、ポリ塩化ビニル樹脂、ポリ塩化ビニリデン樹脂、フッ素樹脂、ＰＰＳ（ポリフェニレンサルファイド）樹脂、アラミド樹脂、ＥＶＡ（エチレン−酢ビニル共重合体）樹脂、ポリウレタン樹脂、ポリ乳酸樹脂等を挙げることができる。エラストマー系樹脂としては、合成ゴム系樹脂、シリコーン樹脂等を挙げることができる。耐衝撃性や屈曲性を求める場合は、熱可塑性樹脂もしくはエラストマー系樹脂を適宜選択して用いることが好ましい。さらに、工程合理化をはかる場合には、熱可塑性を有する樹脂のなかでもホットメルト型樹脂と呼ばれる加熱溶融型で固形分１００％の樹脂を用いると特に好ましい。ホットメルト型樹脂は、耐久性や耐熱性には熱硬化性樹脂には劣るものの、工程として樹脂をその流動点温度以上に加熱してＩＣチップ３と繊維シート１上に塗布後数秒以下の冷却時間で固化し一体化することができるので大量生産に向いており、用途により好ましく用いることができる。固形分が１００％であって溶剤を含有しない樹脂であると、ＩＣチップや繊維シートが溶剤によるダメージを受けやすい素材からなる場合には特に好ましい。ホットメルト型樹脂としては、ＥＶＡ系、ポリアミド系、ポリエステル系、エラストマー系、アモルファスポリマー系のホットメルト型樹脂を挙げることができる。ホットメルト型樹脂の中でも、湿気硬化、酸素硬化、紫外線硬化、電子線硬化等の反応性を付与した反応性ホットメルト型樹脂は、硬化後の耐久性や耐熱性を向上させることができるので、たとえば、耐久性や耐熱性が必要な用途に用いるものであるにもかかわらず、熱硬化性樹脂の硬化温度以上での耐久性までは備えていない繊維シート等を使用する必要がある場合には好適に用いることができる。熱硬化性樹脂、熱可塑性樹脂、エラストマー系樹脂等は、それぞれ単独で用いても良く、また、これらの樹脂を混合して用いたり、積層して塗布・成型しても良く、さらにこれらの樹脂に接着剤を適性に応じてブレンドして用いても良い。
【００２１】
樹脂保護層２は、繊維シート１に好ましくは一部含浸してＩＣチップ３を保護する機能を有するが、樹脂保護層の樹脂種類や保護層形成時の粘度によっては、繊維シート１のごく表面にのみにしか浸透しないような場合がある。このとき、ＩＣチップの繊維シートに接する面は、樹脂被覆されにくいため洗濯耐久性が劣るという問題が生じることがある。このため、繊維シート１は、予め樹脂コーティングもしくは樹脂含浸されたものであると、樹脂保護層２の樹脂種類によらず洗濯耐久性が向上するので好ましい。物品に貼り付け固定する目的で、樹脂コーティングもしくは樹脂含浸する樹脂として、接着性を有する樹脂を用いることもできる。
【００２２】
繊維シート１は、繊維シートのＩＣチップに接する面のみに樹脂コーティングされたものであるとより好ましい。繊維シートのＩＣチップに接する面に樹脂コーティング層が施してあると、繊維シートに浸透する水分や薬剤からＩＣチップを保護することができる。繊維シートが全体に樹脂含浸されている場合や、繊維シートの両面が樹脂コーティングされている場合に比べ、複合繊維シートの柔軟性が保持されるので好ましい。また、衣料品の一部として用い、繊維シートが皮膚に接触するような場合においても、繊維シート全体が樹脂含浸されている場合は肌触りがごつごつして悪いのに比べ、繊維シートの樹脂コーティングがＩＣチップに接する面のみに施されている場合は、繊維シート裏面が皮膚に接触するように配置することで、皮膚には繊維基材そのものが触れることになるため、接触時の違和感が少なく好ましく用いられる。
【００２３】
図３に示すように、樹脂保護層をＩＣチップ上およびその周囲のみに部分的に形成すると、ＩＣチップの周囲以外は繊維シートの柔軟性と縫製性がそのまま保持されるので好ましい。
【００２４】
複合繊維シートに内蔵したＩＣチップの情報内容を確認するためには、ＩＣチップ内の情報の読み取り機能を有する外部機器に有線もしくは無線にて接続する。このとき、ＩＣチップの場所が容易に視認できる印をつけると、ＩＣチップの場所がすぐ分かるので接続を効率的に行うことができ好ましい。複合繊維シート表面側から見た場合は、樹脂保護層をＩＣチップ上およびその周囲のみに部分的に形成すると視認しやすく、かつ樹脂保護層を繊維シートと異なる色に着色するとより視認しやすく好ましい。複合繊維シート裏面側から見る必要のある場合には、ＩＣチップの場所を視認するために繊維シート裏面に識別可能なマークを施すことが、好ましい。また、マークにはＩＣチップの位置を視認する役割だけではなく、ＩＣチップが持つ情報の一部を表示もしくは関連づけるマークであっても良い。ＩＣチップが持つ情報の一部を表示もしくは関連づける識別可能なマークの例としては、１次元バーコード、２次元バーコード、文字、数字、各種のアイコン、ブランドマーク等が該当する。識別可能なマークを施す方法としては、印刷もしくは刺繍が好ましく用いられる。印刷方法としては、インクジェット印刷、転写印刷、レーザー印刷、オフセット印刷、フレキソ印刷、グラビア印刷、スクリーン印刷等による方法などを適宜用いることができ、大量生産に適している。また、マーク印字面保護のために、マークを施した後に印字面保護用のコーティングを施しても良い。刺繍により表示する場合は、あらかじめ繊維シートに専用のミシンで刺繍を施しておくことが好ましい。刺繍による方法は、ブランドタグなど高級感を必要とする場合に特に好ましく用いられる。また、繊維シートが織物で構成される場合には、その織り組織で模様を形成する方法も用いることができる。
【００２５】
樹脂保護層は、図２に示すように樹脂保護層内にフィルムを含んで構成されると、ＩＣチップがより確実に保護できて好ましい。樹脂フィルムの種類としては、例えばポリエステルフィルム、ポリ塩化ビニルフィルム、ポリオレフィン（ポリプロピレン、ポリエチレン）フィルム、ポリカーボネートフィルム、ポリスチレンフィルム、ポリアミドフィルム、ポリイミドフィルム、フッ素フィルム、ポリフィニレンサルファイドフィルムまたは酢酸セルロースフィルムやこれらの複合フィルムであっても良い。また、図４に示すように、樹脂層とフィルムから構成される樹脂保護層をＩＣチップ上およびその周囲のみに部分的に形成すると、ＩＣチップの周囲以外は繊維シートの柔軟性と縫製性がそのまま保持されるのでより好ましい。
【００２６】
複合繊維シートを構成するＩＣチップとしては、用途により必要な情報記憶機能、情報演算機能、通信機能、センサー機能、クロック機能等を単独もしくは組み合わせた機能を有したＩＣチップを用いる。ＩＣチップへの情報の書き込みや、ＩＣチップに書き込まれた情報の読み取り等、外部機器との情報のやりとりは、外部機器と配線をつないだ有線状態か、もしくは電波を用いて無線にて行うことができる。有線で外部機器とつなぐ場合は、固定して使用する用途には配線を常時接続していても良いし、持ち運ぶ用途や個別製品に多数接続する用途には、導電性のフックやホック、チャック、面ファスナー等を介して必要なときのみ接続するようにしても良い。また、無線通信機能を有するＩＣチップを用いると、外部通信機器と非接触で情報のやりとりができるので好ましく用いられる。ＩＣチップの端子数は、少ないほど配線数も減らせるので複合繊維シートのコストも減らせて好ましい。特に１端子もしくは２端子までであれば、電気的短絡による誤動作等の危険も少なく好ましい。複数端子を有する場合、たとえば２端子の場合は、端子の位置がＩＣチップの異なる平面、すなわち上部と下部、もしくは右端と左端に端子接続位置を有するＩＣチップであると、電気的短絡がより防げるので好ましい。
【００２７】
図５に示すように、複合繊維シートにはＩＣチップ３の端子６に接触する配線部７を施すと、外部機器との情報のやりとりが効率的に行えて好ましい。配線を施す場所は、繊維シート内、樹脂保護層内、繊維シートと樹脂保護層の間いずれであっても良い。繊維シート内に配線を施す方法としては、繊維シートに導電性の繊維を織り込む方法を挙げることができる。ここで挙げる導電性繊維としては、銅線などの金属からなる繊維のほか、炭素繊維、有機導電性繊維、金属メッキ繊維等を用いることができる。前記導電性繊維は、導電接着剤によってＩＣチップの端子に直接固定される。導電接着剤としては、異方性導電ペーストや異方性導電フィルムからなる導電性接着剤を用いると、他の配線とショートすることなく導電接着が確実に行われるので好ましい。樹脂保護層内、もしくは繊維シートと樹脂保護層の間にも、同様に配線を施すことができるが、繊維シートに導電性の繊維を織り込む方法は、導電性繊維の位置固定が容易で好ましく用いられる。配線方法は導電性繊維による方法以外に、導電性樹脂を線状に配置する方法や繊維シートに銅などの導電性金属箔を貼りあわせた後にエッチングによって必要な配線を描く方法などを用いても良い。さらに、樹脂保護層が樹脂とフィルムとからなる場合には、ＩＣチップの端子に接触するような配線をＩＣチップに接するフィルム面側に施すとより好ましい。図６で具体的に説明すると、フィルム４のＩＣチップに接する面側に配線部７を施し、ＩＣチップ３を配線部７のＩＣチップ端子を配置すべき位置に合うように樹脂を介して繊維シート１とフィルム４とを貼り合わせて一体化する。フィルム面上の配線は、導電性インクを印刷する方法や、フィルム上に銅などの導電性金属箔を貼りあわせてエッチングにより配線を描く方法などを用いることができるが、特に導電インクで印刷により行う方法が量産性に優れており好ましい。導電インクの種類としては、銀含有インク、カーボン含有インク、グラファイト含有インク、金属化ポリエステル含有インク、アルミニウム含有インク、その他の導電性金属含有インク等を単独もしくは混合して用いることができる。印刷方法としては、インクジェット印刷、転写印刷、レーザー印刷、オフセット印刷、フレキソ印刷、グラビア印刷、スクリーン印刷等による方法などを適宜用いることができ、大量生産に適している。
【００２８】
無線通信にはアンテナが必要であるが、アンテナは、ＩＣチップ内に内蔵してあっても良いし、外部アンテナを有していても良い。外部アンテナを用いると無線通信可能距離を長くできるので、例えば箱の中の複合繊維シートの情報を読みとる場合のように、外部機器にＩＣチップを近づけて読みとることが困難な場合に好ましい。ＩＣチップの端子に接触する配線を有した複合繊維シートの場合、配線がアンテナ機能を有するとより好ましい。さらに、ＩＣチップ内の情報を読み出しもしくは演算してその結果を発信するエネルギーを、アンテナが受け取った電気的もしくは磁気的エネルギーを用いて行うと、ＩＣチップに特別の電源を持たせる必要が無く好ましい。
【００２９】
前記複合繊維シートは、情報を付与したい被対象物に固定して用いられる。固定する方法としては、上述のように接着樹脂により被対象物に固定する方法、被対象物に複合繊維シートを挿入する部位を設ける方法、複合繊維シートを被対象物に取り付け治具で固定する方法等を適宜選択して用いることができる。特に被対象物が繊維製品の場合は、本発明の複合繊維シートは縫製性が良いので、ミシン等を用いて縫製により固定する場合でも、フィルムのみの基材のときのように針穴が破れたり、または縫い針が折れたり曲がったりすることは起こりにくく、確実にかつ容易に固定することができ好ましい。
【００３０】
本発明の複合繊維シートを固定した製品は、ＩＣチップに個別の識別番号を持たせることにより、在庫管理や物流管理あるいはリサイクル管理に好適に用いることができる。在庫管理や物流管理の場合は、常時あるいは入出荷など適宜の時間サイクルで外部機器に情報を与えることができ、コンピュータ上で個別製品の正確な管理を行うことができる。さらに、コンピュータをネットワークでつなぐことにより、どこにいても各製品の情報を得ることができるため、効率的な管理ができる。特に無線通信機能を有する複合繊維シートを固定した製品に対しては、従来行われていたバーコード等の人手による情報認識の手間を省き、外部通信機器を適宜配置することにより無人で、常時、場所や状態をモニターすることができ、不適切な在庫を削減したり、効率的な物流システムを構築することができる。家庭においても、タンスや冷蔵庫、押入など物を入れる場所にネットワークにつながれた外部通信機器を配置することにより、そこに入っている複合繊維シートを固定した個別の物品明細を、現物確認することなく、別途ネットワークにつながれた携帯情報機器で内容を確認することができ、例えば不要な買い物等を減らすことができる。複合繊維シートを固定した製品の識別番号と、製品の原材料をデータベースとしてコンピュータ上に保持しておくことで、製品使用後のリサイクルを、原料別により最適に進めることができる。
【００３１】
本発明の複合繊維シートを着用可能な製品に固定すると、ウエアラブルコンピュータ（着用可能な情報処理機材）として活用できる。特に複合繊維シート内のＩＣに生体情報センサー機能を持たせると、着用者の健康状態を常時モニターできるために、例えば病人や老人、乳幼児など健康状態に不安のある人に着用させて、異常があれば直ちに救助するシステム等を構築することができる。
【００３２】
【発明の効果】
本発明の複合繊維シートは、ＩＣチップ保持する材料でありながら、可撓性と耐久性に優れ、かつ縫製により確実に対象物に固定することができる。
【図面の簡単な説明】
【図１】本発明の一実施形態に係る複合繊維シートの断面概略図である。
【図２】本発明の一実施形態に係る複合繊維シートの断面概略図である。
【図３】本発明の一実施形態に係る複合繊維シートの断面概略図である。
【図４】本発明の一実施形態に係る複合繊維シートの断面概略図である。
【図５】本発明の一実施形態に係る複合繊維シートの上面から見た概略図である。
【図６】本発明の一実施形態に係る複合繊維シートの重ね合わせ構造を示した概略図である。
【符号の説明】
１：繊維シート
２：樹脂保護層
３：ＩＣチップ
４：フィルム
５：樹脂層
６：ＩＣチップ端子
７：配線部
８：ＩＣチップ配置部
【図１】
2005036324.tif 000003
【図２】
2005036324.tif 000004
【図３】
2005036324.tif 000005
【図４】
2005036324.tif 000006
【図５】
2005036324.tif 000007
【図６】
2005036324.tif 000008